(57)【特許請求の範囲】
【請求項１】
室内の空気を吸込む吸込口と、
前記吸込口から吸込んだ空気を室内へ吹出す吹出口と、
前記吸込口と前記吹出口を結ぶ風路内に備えて空気を吸込み室内へ空気を吹出すファンと、
前記ファンを駆動するモータと、
前記吹出口からの吹出し方向を変えるルーバと、
前記ルーバを駆動するルーバモータと、
前記ルーバモータの駆動トルクを基に、壁面または天井面のいずれかに設置されたかを特定する設置場所特定手段とを設け、
前記設置場所特定手段が特定した設置場所に基づいて前記ルーバを動作させて吹出し方向を変えることを特徴とした送風装置。
【請求項２】
前記ルーバの重心位置は前記ルーバの回転軸に対してずらしたことを特徴とした請求項１記載の送風装置。
【請求項３】
前記ルーバモータに供給する駆動電圧から前記ルーバモータの駆動トルクを推定することを特徴とした請求項１記載の送風装置。
【請求項４】
前記ルーバモータの駆動速度から前記ルーバモータの駆動トルクを推定することを特徴とした請求項１記載の送風装置。
【請求項５】
室内の空気を吸込む吸込口と、
前記吸込口から吸込んだ空気を室内へ吹出す吹出口と、
前記吸込口と前記吹出口を結ぶ風路内に備えて空気を吸込み室内へ空気を吹出すファンと、
前記ファンを駆動するモータと、
前記吹出口からの吹出し方向を変えるルーバと、
前記ルーバを駆動するルーバモータと、
設置場所を特定する設置場所特定手段とを設け、
前記設置場所検出手段は、壁面または天井面のいずれかに設置されたかを検出する転倒センサで構成され、
前記設置場所特定手段が特定した設置場所に基づいて前記ルーバを動作させて吹出し方向を変えることを特徴とした送風装置。
【請求項６】
室内の空気を吸込む吸込口と、
前記吸込口から吸込んだ空気を室内へ吹出す吹出口と、
前記吸込口と前記吹出口を結ぶ風路内に備えて空気を吸込み室内へ空気を吹出すファンと、
前記ファンを駆動するモータと、
前記吹出口からの吹出し方向を変えるルーバと、
前記ルーバを駆動するルーバモータと、
壁面または天井面のいずれかに設置されたかを検出する設置場所特定手段とを設け、
前記設置場所検出手段は、発光手段と、前記発光手段から発光される光を受光する受光手段と、前記発光手段から発光される光を遮断する遮蔽板とで構成され、
前記設置場所特定手段が特定した設置場所に基づいて前記ルーバを動作させて吹出し方向を変えることを特徴とした送風装置。
【請求項７】
室内の空気を吸込む吸込口と、
前記吸込口から吸込んだ空気を室内へ吹出す吹出口と、
前記吸込口と前記吹出口を結ぶ風路内に備えて空気を吸込み室内へ空気を吹出すファンと、
前記ファンを駆動するモータと、
前記吹出口からの吹出し方向を変えるルーバと、
前記ルーバを駆動するルーバモータと、
壁面または天井面のいずれかに設置されたかを検出する設置場所特定手段とを設け、
前記設置場所検出手段は、球状の磁石と、前記磁石を格納する容器と、前記磁石からの磁気を検出する磁気センサとで構成され、
前記設置場所特定手段が特定した設置場所に基づいて前記ルーバを動作させて吹出し方向を変えることを特徴とした送風装置。
【請求項８】
衣類を乾燥させる衣類乾燥モードを備え、前記衣類乾燥モードで運転するとき、天井面設置の場合では壁面設置の場合よりも大きい角度の範囲で前記ルーバを動作させて送風することを特徴とした請求項１〜７いずれかひとつに記載の送風装置。
【請求項９】
涼風感を得る涼風モードを備え、前記涼風モードで運転するとき、床面へ向けて斜め下方に送風するように壁面設置の場合と天井面設置の場合で前記ルーバの動作角度を変えることを特徴とした請求項１〜７いずれかひとつに記載の送風装置。
【請求項１０】
室内空気を循環させる気流モードを備え、前記気流モードで運転するとき、床面に対して略水平方向に送風するように壁面設置の場合と天井面設置の場合で前記ルーバの動作角度を変えることを特徴とした請求項１〜７いずれかひとつに記載の送風装置。
【請求項１１】
受信手段を設け、遠隔操作手段より送信される信号に基づいて操作可能な構成とし、前記遠隔操作手段にルーバの動作角度を変更可能な風向調整スイッチを設けたことを特徴とした請求項１〜１０のいずれかに記載の送風装置。
【発明の詳細な説明】
【技術分野】
【０００１】
本発明は、室内の壁面または天井面に設置され、衣類等を乾燥させることができる送風装置に関するものである。
【背景技術】
【０００２】
近年、生活スタイルの多様化に伴い室内や浴室に洗濯した衣類を干し、この衣類を乾燥させる機器として、除湿機や浴室に設置された浴室乾燥機などが普及してきている。
【０００３】
従来この種の衣類乾燥機器は、送風手段による室内への送風方向を変更する風向変更手段と、検出範囲内の温度を検出する赤外線センサと、赤外線センサによる検出位置を変更する検出位置変更手段とが設けられており、衣類表面の水分の蒸発により気化熱が奪われるため衣類が干されている範囲は低温となることを利用して、衣類が干されている範囲を検出するために、検出位置変更手段を動作させて赤外線センサによる検出方向を垂直方向に移動させたり、水平方向に移動させたりして、衣類が干されている範囲を認識し、認識した範囲を送風範囲として、風向変更手段により送風方向を変更しながら送風していた（例えば、特許文献１参照）。
【先行技術文献】
【特許文献】
【０００４】
【特許文献１】特開２００９−１３１７８６号公報
【発明の概要】
【発明が解決しようとする課題】
【０００５】
このような従来の衣類乾燥機器では、衣類の位置を特定するために、赤外線センサや赤外線センサによる検出位置を変更する検出位置変更手段を備えているため、構成が複雑であり、壁面設置および天井面設置が可能な構成とし、衣類乾燥以外の目的で使用する場合、設置場所に応じて適切な方向へ吹出すことができないという課題があった。
【０００６】
本発明は、このような従来の課題を解決するもので、簡単な構成で壁面または天井面のいずれかに設置されたかを特定でき、衣類乾燥以外の目的で使用する場合でも設置場所に応じて適切な方向へ吹出すことのできる送風装置を提供することを目的とする。
【課題を解決するための手段】
【０００７】
前記課題を解決するために、本発明の送風装置は、室内の空気を吸込む吸込口と、前記吸込口から吸込んだ空気を室内へ吹出す吹出口と、前記吸込口と前記吹出口を結ぶ風路内に備えて空気を吸込み室内へ空気を吹出すファンと、前記ファンを駆動するモータと、前記吹出口からの吹出し方向を変えるルーバと、前記ルーバを駆動するルーバモータと、前記ルーバモータの駆動トルクを基に、壁面または天井面のいずれかに設置されたかを特定する設置場所特定手段とを設け、前記設置場所特定手段が特定した設置場所に基づいて前記ルーバを動作させて吹出し方向を変えるものである。
【発明の効果】
【０００８】
本発明の送風装置によれば、室内の空気を吸込む吸込口と、前記吸込口から吸込んだ空気を室内へ吹出す吹出口と、前記吸込口と前記吹出口を結ぶ風路内に備えて空気を吸込み室内へ空気を吹出すファンと、前記ファンを駆動するモータと、前記吹出口からの吹出し
方向を変えるルーバと、前記ルーバを駆動するルーバモータと、前記ルーバモータの駆動トルクを基に、壁面または天井面のいずれかに設置されたかを特定する設置場所特定手段とを設け、前記設置場所特定手段が特定した設置場所に基づいて前記ルーバを動作させて吹出し方向を変えるので、壁面に設置された場合と、天井面に設置された場合とで、ルーバの動作角度を変えて送風することとなり、設置場所に応じて使用者が吹出し方向を変更する操作をすることなく、適切な方向へ吹出すことができ使い勝手がよいという効果のある送風装置を提供することができる。
【図面の簡単な説明】
【０００９】
【図１】本発明の実施の形態１の送風装置を示す断面の斜視図
【図２】同送風装置、遠隔操作手段の構成を示すブロック図
【図３】同ルーバの側面図
【図４】同リモコンの複数のスイッチ、表示手段の構成を示す図
【図５】同ルーバモータの駆動電圧と駆動トルクの特性を示す図
【図６】同送風装置の衣類乾燥モードにおけるルーバ動作を示す図（（ａ）壁面設置の場合の図、（ｂ）天井面設置の場合の図）
【図７】同送風装置の涼風モードにおけるルーバ動作を示す図（（ａ）壁面設置の場合の図、（ｂ）天井面設置の場合の図）
【図８】同送風装置の気流モードにおけるルーバ動作を示す図（（ａ）壁面設置の場合の図、（ｂ）天井面設置の場合の図）
【図９】本発明の実施の形態２のルーバモータの駆動速度と駆動トルクの特性を示す図
【図１０】参考例の送風装置、遠隔操作手段の構成を示すブロック図
【図１１】同リモコンにおける設置場所の設定表示を示す図（（ａ）壁面設置を表示する図、（ｂ）天井面設置を表示する図）
【図１２】本発明の実施の形態３の送風装置、遠隔操作手段の構成を示すブロック図
【図１３】本発明の実施の形態４の送風装置、遠隔操作手段の構成を示すブロック図
【図１４】同設置場所検出手段を示す断面図（（ａ）壁面設置の場合の図、（ｂ）天井面設置の場合の図）
【図１５】本発明の実施の形態５の送風装置、遠隔操作手段の構成を示すブロック図
【図１６】同設置場所検出手段を示す断面図（（ａ）壁面設置の場合の図、（ｂ）天井面設置の場合の図）
【発明を実施するための形態】
【００１０】
請求項１記載の発明は、室内の空気を吸込む吸込口と、前記吸込口から吸込んだ空気を室内へ吹出す吹出口と、前記吸込口と前記吹出口を結ぶ風路内に備えて空気を吸込み室内へ空気を吹出すファンと、前記ファンを駆動するモータと、前記吹出口からの吹出し方向を変えるルーバと、前記ルーバを駆動するルーバモータと、前記ルーバモータの駆動トルクを基に、壁面または天井面のいずれかに設置されたかを特定する設置場所特定手段とを設け、前記設置場所特定手段が特定した設置場所に基づいて前記ルーバを動作させて吹出し方向を変えることを特徴とした送風装置である。
【００１１】
このことにより、設置場所特定手段が、壁面に設置された場合と、天井面に設置された場合とを特定することになり、設置場所に応じてルーバの動作角度を変えて送風するという作用を有するので、設置場所に応じて使用者が吹出し方向を変更する操作をすることなく、適切な方向へ吹出すことができ使い勝手がよいという効果が得られる。
【００１２】
また、設置場所特定手段は、ルーバモータがルーバを動作させるときの駆動トルクから壁面または天井面のいずれかに設置されたかを特定するので、新たな部品を追加することなくコストを抑えて実現することができるという効果が得られる。
【００１３】
また、ルーバの重心位置はルーバの回転軸に対してずらしたことを特徴としたものである。
【００１４】
つまり、ルーバの回転軸とルーバの重心位置は一致させずに回転軸に対して一方を重くするものである。
【００１５】
このことにより、ルーバ動作時の駆動トルクは、本体を壁面に取り付けた時と天井面に取り付けた時とで異なり、この駆動トルクを検出して設置場所を特定するので、容易にかつ確実に設置場所を特定することができるという効果が得られる。
【００１６】
また、ルーバモータに供給する駆動電圧から前記ルーバモータの駆動トルクを推定することを特徴としたものである。
【００１７】
このことにより、ルーバモータの駆動電圧と駆動トルクとの特性から駆動トルクを推定して設置場所を特定するので、新たな部品を追加することなくコストを抑えて実現することができるという効果が得られる。
【００１８】
また、ルーバモータの駆動速度から前記ルーバモータの駆動トルクを推定することを特徴としたものである。
【００１９】
このことにより、ルーバモータの駆動速度と駆動トルクとの特性から駆動トルクを推定して設置場所を特定するので、新たな部品を追加することなくコストを抑えて確実に設置場所を特定することを実現することができるという効果が得られる。
【００２０】
また、衣類を乾燥させる衣類乾燥モードを備え、前記衣類乾燥モードで運転するとき、天井面設置の場合では壁面設置の場合よりも大きい角度の範囲でルーバを動作させて送風するものであって、壁面設置よりも天井面設置の方がより床面へ向かって斜め下方に送風するという作用を有する。
【００２１】
このことにより、設置場所によらず効率よく衣類に送風することができ、省エネルギーで衣類を乾燥することができるという効果が得られる。
【００２２】
また、涼風感を得る涼風モードを備え、前記涼風モードで運転するとき、床面へ向けて斜め下方に送風するように壁面設置の場合と天井面設置の場合でルーバの動作角度を変えるものである。
【００２３】
このことにより、壁面設置および天井面設置のいずれにおいても、床面へ向けて斜め下方に送風するという作用を有し、設置場所に応じて使用者が吹出し方向を変更する操作をすることなく、使用者は効果的に涼風感を得られることがという効果が得られる。
【００２４】
また、室内空気を循環させる気流モードを備え、前記気流モードで運転するとき、床面に対して略水平方向に送風するように壁面設置の場合と天井面設置の場合でルーバの動作角度を変えるものである。
【００２５】
このことにより、壁面設置および天井面設置のいずれにおいても、床面に対して略水平方向に送風するという作用を有し、設置場所に応じて使用者が吹出し方向を変更する操作をすることなく、効果的に室内空気を循環させることができるという効果が得られる。
【００２６】
また、室内の空気を吸込む吸込口と、前記吸込口から吸込んだ空気を室内へ吹出す吹出
口と、前記吸込口と前記吹出口を結ぶ風路内に備えて空気を吸込み室内へ空気を吹出すファンと、前記ファンを駆動するモータと、前記吹出口からの吹出し方向を変えるルーバと、前記ルーバを駆動するルーバモータと、設置場所を特定する設置場所特定手段とを設け、前記設置場所検出手段は、壁面または天井面のいずれかに設置されたかを検出する転倒センサで構成され、前記設置場所特定手段が特定した設置場所に基づいて前記ルーバを動作させて吹出し方向を変えるものである。
【００２７】
このことにより、転倒センサからの信号により、壁面または天井面のいずれかに設置されたかを検出するという作用を有し、確実に設置場所を検出し、特定することができるという効果が得られる。
【００２８】
また、室内の空気を吸込む吸込口と、前記吸込口から吸込んだ空気を室内へ吹出す吹出口と、前記吸込口と前記吹出口を結ぶ風路内に備えて空気を吸込み室内へ空気を吹出すファンと、前記ファンを駆動するモータと、前記吹出口からの吹出し方向を変えるルーバと、前記ルーバを駆動するルーバモータと、壁面または天井面のいずれかに設置されたかを検出する設置場所特定手段とを設け、前記設置場所検出手段は、発光手段と、前記発光手段から発光される光を受光する受光手段と、前記発光手段から発光される光を遮断する遮蔽板とで構成され、前記設置場所特定手段が特定した設置場所に基づいて前記ルーバを動作させて吹出し方向を変えるものである。
【００２９】
このことにより、発光手段から発光された光を受光手段が受光するか否かで、壁面または天井面のいずれかに設置されたかを検出するという作用を有し、確実に設置場所を検出し、特定することができるという効果が得られる。
【００３０】
また、室内の空気を吸込む吸込口と、前記吸込口から吸込んだ空気を室内へ吹出す吹出口と、前記吸込口と前記吹出口を結ぶ風路内に備えて空気を吸込み室内へ空気を吹出すファンと、前記ファンを駆動するモータと、前記吹出口からの吹出し方向を変えるルーバと、前記ルーバを駆動するルーバモータと、壁面または天井面のいずれかに設置されたかを検出する設置場所特定手段とを設け、前記設置場所検出手段は、球状の磁石と、前記磁石を格納する容器と、前記磁石からの磁気を検出する磁気センサとで構成され、前記設置場所特定手段が特定した設置場所に基づいて前記ルーバを動作させて吹出し方向を変えるものである。
【００３１】
このことにより、磁気センサが磁石からの磁気を検出するか否かで、壁面または天井面のいずれかに設置されたかを検出するという作用を有し、確実に設置場所を検出し、特定することができるという効果が得られる。
【００３２】
また、受信手段を設け、遠隔操作手段より送信される信号に基づいて操作可能な構成とし、前記遠隔操作手段にルーバの動作角度を変更可能な風向調整スイッチを設けたものである。
【００３３】
このことにより、風向調整スイッチを操作することにより、ルーバの動作角度を変更し、吹出し方向を微調整できるという作用を有し、使用実態に合わせて容易に送風方向を微調整でき、使い勝手が良いという効果が得られる。
【００３４】
以下、本発明の実施の形態について図面を参照しながら説明する。
【００３５】
（実施の形態１）
図１〜図４に示すように、送風装置本体１は脱衣室２内の壁面または天井面に設置され、室内の空気を吸込む吸込口３と、吸込口３から吸込んだ空気を室内へ吹出す吹出口４と
、吸込口３と吹出口４を結ぶ風路内に備えて空気を吸込み室内へ空気を吹出すファン５と、ファン５を駆動するモータ６と、吹出口４からの吹出し方向を変えるルーバ７と、ルーバ７を駆動するルーバモータ８としての例えばステッピングモータ８ａと、送風装置本体１が設置された場所が壁面または天井面であるかを特定する設置場所特定手段９と、ルーバ７が閉じたことを検出するためのルーバ閉検出手段１０を設け、ステッピングモータ８ａがルーバ７を動作させるときの駆動トルクを基に設置場所特定手段９は、壁面または天井面のいずれかに設置されたかを特定するように構成する。ファン５としては、例えば径が比較的小さく横に長いファンをもち、ファンの長さの幅の静かな層流となり、静圧が低く大きな風量を得られるクロスフローファンが用いられるものである。ルーバ閉検出手段１０としては、ルーバ７が閉まっていることを検出することができればよく、例えば、接点スイッチ１１（図示せず）を有し、ルーバ７が閉位置になることで接点に接触し、スイッチがＯＮするように構成する。
【００３６】
ルーバ７の両側面には、回転軸１２をルーバ７の重心に対してずらして設けることで、ルーバ７の重心位置の延長上とは異なる位置に回転軸１２を備えており、一方の回転軸１２をステッピングモータ８ａと接続し、ステッピングモータ８ａを回転駆動することで、ルーバ７を回転動作させる。
【００３７】
また、送風装置本体１の正面には、送風装置本体１を遠隔操作可能な遠隔操作手段１３（以下、リモコン１３ａ）の送信手段１４より送信される信号を受信する受信手段１５を備え、更に、受信手段１５が受信したことを報知する報知手段１６としての例えばブザーを備えている。リモコン１３ａとしては、遠隔操作ができればよく、例えば、赤外線リモコンなどがある。送信手段１４としては、送信できればよく、例えば、赤外線ＬＥＤなどがある。受信手段１５としては、受信できればよく、例えば、赤外線受光素子などがある。報知手段１６としては、報知できればよく、ブザーだけでなく音声によるガイダンスでもよい。
【００３８】
リモコン１３ａには複数のスイッチと運転状態等を表示する表示手段１７が備えてあり、これら複数のスイッチとしては、送風装置を運転または停止する運転スイッチ１８と、運転モードを切替えるモードスイッチ１９と、ファン５の風量を強、弱、切替えできる風量スイッチ２０と、ルーバ７の角度を変えて風向を調整する風向調整スイッチ２１と、ルーバ７を所定の範囲で往復動作させる風向自動スイッチ２２とを備えている。風向調整スイッチ２１は、ルーバ角度を大きくするアップスイッチ２１ａと、ルーバ角度を小さくするダウンスイッチ２１ｂとで構成されている。
【００３９】
運転モードとしては、衣類を乾燥させる衣類乾燥モードと、吹出口４から送風される風で涼風感を得る涼風モードと、室内空気を循環させる気流モードとを有している。
【００４０】
制御装置２３は、その内部にマイコンなどのＣＰＵと各種のインタフェース（図示せず）を備えており、受信手段１５がリモコン１３ａからの信号を受信すると、受信した信号に基づいてＣＰＵがそれぞれのインタフェースを介してモータ６、ルーバモータ８としてのステッピングモータ８ａ、報知手段１６を制御する。
【００４１】
送風装置本体１の設置場所を設置場所特定手段９が特定する方法について説明する。
【００４２】
回転軸１２はルーバ７の重心位置の延長上とは異なる位置にあるため、壁面設置と天井面設置では、ルーバ７が同一の状態のときに重力方向に対してルーバ７の回転軸１２にかかるモーメントが異なる。つまりルーバ７が閉じている状態のときに回転軸１２にかかるモーメントがことなるため、ルーバ７を動作させるときの駆動トルクも異なる。
【００４３】
図５に示すように、ステッピングモータ８ａの駆動電圧を高くすると駆動トルクも高くなる特性があり、ステッピングモータ８ａの駆動電圧を変えることでステッピングモータ８ａのトルクを制御し、その駆動電圧から駆動トルクを推定し、設置場所を特定する。
【００４４】
ルーバ７が閉じており接点スイッチ１１がＯＮしている状態で、制御装置２３はステッピングモータ８ａの駆動電圧を徐々に上げていく。そして、接点スイッチ１１がＯＦＦしてルーバ７が開き始めたときの駆動電圧があらかじめ規定されたＶ１未満であれば設置場所特定手段９は、設置場所は天井面であると特定し、Ｖ１以上であれば設置場所は壁面であると特定する。
【００４５】
なお、設置場所の特定は、運転開始をする度ではなく、送風装置に電源供給された後、初めて運転するときのみに行ってもよい。
【００４６】
次に、送風装置本体１の運転動作について説明する。
【００４７】
運転スイッチ１８を操作し、リモコン１３ａから選択された運転モードによる運転の信号が送信され、受信手段１５が受信すると、制御装置２３は報知手段１６を動作させブザー音を鳴らして信号が受信されたことを報知すると共に、ステッピングモータ８ａを駆動しルーバ７を動作させる。ルーバ７が所定の位置まで動作し、吹出口４が開かれると、制御装置２３は選択された風量に基づき、強の場合はモータ６を高速で回転駆動し、弱の場合は低速で回転駆動しファン５を運転させる。
【００４８】
運転モードの選択は、運転中にモードスイッチ１９を操作することで切替えられ、操作する度に、衣類乾燥モード、涼風モード、気流モードの順に循環して切替わり、選択された運転モードの信号がリモコン１３ａから送信され、受信手段１５が受信すると、制御装置２３は報知手段１６を動作させブザー音を鳴らして信号が受信されたことを報知する。
【００４９】
再度、運転スイッチ１８を操作すると、リモコン１３ａから運転停止の信号が送信され、受信手段１５が受信すると、制御装置２３は報知手段１６を動作させブザー音を鳴らして信号が受信されたことを報知すると共に、ファン５を停止させる。ファン５の回転が止まる例えば３秒程度経過後、ルーバ７を動作させ、吹出口４を閉じる。運転停止のブザー音を運転開始のブザー音とは異なるブザー音とすると、運転開始と運転停止を区別しやすい。また、次に運転を開始するときには、前回の運転で選択されていた運転モードで運転するようにすると使い勝手が良くなる。
【００５０】
図６〜図８を用いて、各運転モードにおけるルーバ動作について説明する。
【００５１】
まず初めに衣類乾燥モードにおけるルーバ動作について説明する。
【００５２】
受信手段１５が衣類乾燥モードの信号を受信し、衣類乾燥モードでの運転が開始されると、壁面に設置され、設置場所が壁面に特定されている場合、ルーバ７は閉位置を基準とした角度α２へ移動する。そして、ゆっくり（例えば、０．５度／秒）とルーバ７を動作させて角度α１へと動作させることで吹出し方向を変えながら衣類へ送風する。以後、ルーバ７は角度α１〜α２の範囲で往復動作させる。
【００５３】
天井面に設置され、設置場所が天井面に特定されている場合、ルーバ７を壁面設置の場合の動作角度α１、α２で動作させて送風すると、衣類の上方に偏って送風されてしまうため、壁面設置よりも大きい角度β１、β２の範囲で往復動作させ、壁面設置よりもより下方へ送風することで、衣類全体へ送風する。
【００５４】
このように衣類乾燥モードにおける運転中、設置場所に応じて、ルーバ７を常に角度α１〜α２の範囲、または角度β１〜β２の範囲を往復動作させることで吹出し方向を変えながら衣類へ送風することで、洗濯物表面の湿度の飽和した空気層を剥離、拡散して衣類乾燥を促進させる。
【００５５】
次に涼風モードにおけるルーバ動作について説明する。
【００５６】
受信手段１５が涼風モードの信号を受信し、涼風モードでの運転が開始されると、壁面に設置され、設置場所が壁面に特定されている場合、ルーバ７は閉位置を基準とした角度α３へ移動し、床面へ斜め下方に送風する。
【００５７】
天井面に設置され、設置場所が天井面に特定されている場合、ルーバ７を壁面設置の場合の角度α３へ移動して送風すると、壁面の方へ偏って送風されてしまうため、壁面設置よりも大きい角度β３へ移動することで、壁面設置の場合と同等に床面へ斜め下方に送風する。
【００５８】
次に気流モードにおけるルーバ動作について説明する。
【００５９】
受信手段１５が気流モードの信号を受信し、気流モードでの運転が開始されると、壁面に設置され、設置場所が壁面に特定されている場合、ルーバ７は閉位置を基準とした角度α４へ移動し、床面に対して略水平方向に送風する。
【００６０】
天井面に設置され、設置場所が天井面に特定されている場合、ルーバ７を壁面設置の場合の角度α４へ移動して送風すると、床面へ送風されてしまうため、壁面設置よりも小さい角度β４へ移動することで、壁面設置の場合と同等に床面に対して略水平方向に送風する。
【００６１】
吹出し方向を微調整する動作について、衣類乾燥モードを例にして説明する。
【００６２】
衣類乾燥モードで運転中に、リモコン１３ａの風向自動スイッチ２２を所定時間（例えば通常の操作と区別ができる３秒程度）押し続けることにより、風向調整モードとなり、下限角度の風向調整の信号を送信する。受信手段１５が下限角度の風向調整の信号を受信すると、制御装置２３は報知手段１６を動作させブザー音を鳴らして信号が受信されたことを報知すると共に、まずルーバ７を往復動作範囲の下限角度まで移動する。その状態で、風向調整スイッチ２１のダウンスイッチ２１ｂを操作することにより、往復動作範囲の下限角度を微調整することができ、スイッチ操作１回当たりの変更角度は、５度程度とする。使用者は、送風方向を確認しながら適切な位置まで往復動作範囲の下限角度を微調整する。
【００６３】
下限角度を適切な位置にあわせた後、風向自動スイッチ２２を操作すると、リモコン１３ａは上限角度の風向調整の信号を送信し、受信手段１５が上限角度の風向調整の信号を受信すると、ルーバ７を往復動作範囲の上限角度まで移動する。下限角度の調整と同様にして上限角度も調整する。
【００６４】
上限角度を適切な位置にあわせた後、風向自動スイッチ２２を操作すると、風向調整モードが解除され、リモコン１３ａは風向調整解除の信号を送信し、受信手段１５が受信することで吹出し方向の微調整が終了する。以後、調整された上限角度と下限角度の範囲でルーバ７は往復動作することとなる。
【００６５】
なお、本実施の形態では、運転開始時にルーバ７を動作させた後、ファン５を運転させ
、運転停止時にはファン５を停止させた後、ルーバ７を閉じる構成としたが、ルーバ７とファン５を同時に動作させてもよい。
【００６６】
上記構成により、設置場所特定手段９が特定した設置場所に応じてルーバ７の動作角度を変えて送風するので、設置場所に応じて使用者が吹出し方向を変更する操作をすることなく、適切な方向へ吹出すことができ使い勝手がよい。
【００６７】
また、設置場所特定手段９は、ステッピングモータ８ａがルーバ７を動作させるときの駆動トルクから壁面または天井面のいずれかに設置されたかを特定するので、確実に設置場所を特定することができ、新たな部品を追加することなくコストを抑えて実現することができる。
【００６８】
また、ルーバ７の回転軸１２と重心位置を一致させないすなわち、回転軸１２に対して一方を重くするので、ルーバ７動作時の駆動トルクが壁面と天井面とで異なり、容易にかつ確実に設置場所を特定することができる。
【００６９】
また、ステッピングモータ８ａの駆動電圧と駆動トルクとの特性から駆動トルクを推定するので、確実に設置場所を特定することができ、新たな部品を追加することなくコストを抑えて実現することができる。
【００７０】
また、衣類乾燥モードにおいて、壁面設置よりも天井面設置の方がより床面へ向かって斜め下方に送風するので、設置場所によらず効率よく衣類に送風することができ、省エネルギーで衣類を乾燥することができる。
【００７１】
また、涼風モードにおいて、壁面設置および天井面設置のいずれにおいても、床面へ斜め下方に送風するので、設置場所に応じて使用者が吹出し方向を変更する操作をすることなく、使用者は効果的に涼風感を得られる。
【００７２】
また、気流モードにおいて、壁面設置および天井面設置のいずれにおいても、床面に対して略水平方向に送風するので、設置場所に応じて使用者が吹出し方向を変更する操作をすることなく、効果的に室内空気を循環させることができる。
【００７３】
また、風向調整スイッチ２１を操作することにより、ルーバ７の動作角度を変更し、吹出し方向を微調整できるので、例えば、送風装置の設置と衣類を干す位置関係が、あらかじめ設定された位置関係と差異がある場合、この吹出し方向の微調整をすることで、使用者は実態に合わせたることができると共に、効率の良い衣類乾燥をすることができ、使い勝手が良い。
【００７４】
（実施の形態２）
図９に示すように、ステッピングモータ８ａの駆動速度を早くすると駆動トルクが低くなる特性があり、ステッピングモータ８ａの駆動速度を変えることでステッピングモータ８ａのトルクを制御し、その駆動速度から駆動トルクを推定し、設置場所を特定するように構成する。
【００７５】
その他、実施の形態１と同様の構成については説明を省略する。
【００７６】
ルーバ７が閉じており接点スイッチ１１がＯＮしている状態で、制御装置２３はステッピングモータ８ａの駆動トルクが略０となる駆動速度Ｓ０で駆動を開始し、駆動速度を徐々に遅くしていく。そして、接点スイッチ１１がＯＦＦしてルーバ７が開き始めたときの駆動速度があらかじめ規定されたＳ１以上であれば設置場所特定手段９は、設置場所は天
井面であると特定し、Ｓ１未満であれば設置場所は壁面であると特定する。
【００７７】
上記構成により、ステッピングモータ８ａの駆動速度と駆動トルクとの特性から駆動トルクを推定するので、確実に設置場所を特定することができ、新たな部品を追加することなくコストを抑えて実現することができる。
【００７８】
（参考例）
図１０に示すように、設置場所特定手段９が特定した設置場所を記憶する記憶手段２４を設け、制御装置２３は、設置場所特定手段９が特定した設置場所を記憶手段２４に記憶したり、記憶された設定を読み出したりするように構成する。
【００７９】
その他、実施の形態１と同様の構成については説明を省略する。
【００８０】
送風装置本体１の設置場所を設定する方法について説明する。
【００８１】
リモコン１３ａの複数のスイッチ、例えばモードスイッチ１９と風向自動スイッチ２２とを組み合わせて同時に所定時間（例えば誤操作による同時押しと区別できる３秒程度）押し続ける等の操作をすることにより、設置場所の設定モードとなり、図１１に示すように、表示手段１７に設定モードであることを表示する。
【００８２】
送風装置本体１を天井面に設置した場合は、例えばモードスイッチ１９と風向調整スイッチ２１のアップスイッチ２１ａとを組み合わせて同時に押すと、リモコン１３ａにおける設置場所の設定は天井面設置に設定され、表示手段１７に天井面設置の表示をすると共に、送信手段１４から天井面設置の設定信号を送信する。
【００８３】
受信手段１５が天井面設置の設定信号を受信すると、設置場所特定手段９が設置場所は天井面であると特定し、記憶手段２４に記憶させる。そして、制御装置２３は報知手段１６を動作させ「ピ」というブザー音を鳴らして設置場所が天井面に特定されたことを報知する。
【００８４】
壁面に設置した場合は、例えばモードスイッチ１９と風向調整スイッチ２１のダウンスイッチ２１ｂとを組み合わせて同時に押すと、リモコン１３ａにおける設置場所の設定は壁面設置に設定され、表示手段１７に壁面設置の表示をすると共に、送信手段１４から壁面設置の設定信号を送信する。
【００８５】
受信手段１５が壁面設置の設定信号を受信すると、設置場所特定手段９が設置場所は壁面であると特定し、記憶手段２４に記憶させる。そして、制御装置２３は報知手段１６を動作させ、天井面設置のときとは異なり、「ピピ」というブザー音を鳴らして設置場所が壁面に特定されたことを報知する。
【００８６】
リモコン１３ａは、設置場所の設定モード以外のとき例えば運転や停止などの信号を送信するとき、同時にリモコン１３ａに設定されている設置場所の信号を送信しており、この信号と、記憶手段２４に記憶された設置場所の設定が異なる場合の動作について説明する。
【００８７】
例えば、送風装置が天井面に設置されており、リモコン１３ａおよび記憶手段２４のいずれにも天井面設置の設定がされている。しかし、リモコン１３ａに装着されている電池を交換したことによりリモコン１３ａの設定が初期化され、設置場所の設定が壁面設置に変更されてしまうと、リモコン１３ａは、運転や停止などの信号を送信するときに同時に送信するリモコン１３ａに設定されている設置場所の信号を、壁面設置で送信してしまう
。受信手段１５がこの壁面設置の信号を受信すると、記憶手段２４の設定と異なるため、制御装置２３は報知手段１６を動作させブザー音を鳴らしてリモコン１３ａの設定と記憶手段２４の設定が異なっていることを報知する。
【００８８】
また、制御手段は、受信手段１５が受信した壁面設置の信号を無効とし、ルーバ７を記憶手段２４の設定に基づき天井面設置の動作角度で動作させる。
【００８９】
上記構成により、リモコン１３ａを操作することで、設置場所を設定して送信し、受信手段１５が設定の信号を受信することで設置場所を特定するので、容易にかつ確実に設置場所を設定することができ、新たな部品を追加することなくコストを抑えて実現することができる。
【００９０】
また、リモコン１３ａの所定のスイッチを複数組み合わせて操作することで設置場所を設定するので、容易に設置状態を設定することができかつ、使用者の誤操作により設定が不用意に変更されてしまうことを防ぐことができる。
【００９１】
また、報知手段１６は、設置場所が特定されたことをブザー音で報知するので、設置場所の設定がされたことを容易に認識することができる。
【００９２】
また、設置場所の設定に応じて異なるブザー音で報知するので、設置場所が壁面または天井面のどちらに特定されたかを容易に認識できると共に、リモコン１３ａで設定した設置場所と送風装置が特定した設置場所が一致していることを容易に確認することができる。
【００９３】
また、設置場所の設定をした後、受信手段１５が受信したリモコン１３ａに設定されている設置場所の信号が記憶手段２４に記憶された設置場所の設定と異なる場合は、記憶手段２４に記憶された設定に基づいてルーバ７を動作させるので、リモコン１３ａの設定が意図せず変更されてしまった場合でも、確実に設置場所に応じてルーバ７を動作させることができる。
【００９４】
また、報知手段１６は、リモコン１３ａの設定と記憶手段２４の設定が異なることをブザー音で報知するので、リモコン１３ａの設定と送風装置の設定が異なっていることを使用者が容易に認識することができる。
【００９５】
（実施の形態３）
図１２に示すように、壁面または天井面のいずれかに設置されたかを検出する設置場所検出手段２５を設け、設置場所検出手段２５を転倒センサ２６で構成する。
【００９６】
転倒センサ２６は、内部に接点スイッチ（図示せず）を有しており、あらかじめ定められた角度に傾くと、接点スイッチがＯＦＦになる。
【００９７】
その他、実施の形態１と同様の構成については説明を省略する。
【００９８】
上記構成において、壁面に設置されている場合、転倒センサ２６の接点スイッチはＯＮしており、そのＯＮ信号から設置場所特定手段９は、設置場所は壁面であると特定する。
【００９９】
天井面に設置されている場合、壁面設置の場合と設置方向が９０度異なるため、転倒センサ２６の接点スイッチはＯＦＦし、そのＯＦＦ信号から設置場所特定手段９は、設置場所は天井面であると特定する。
【０１００】
そして、制御装置２３は、設置場所特定手段９が特定した設置場所に応じてルーバ７を動作させる。
【０１０１】
このように、転倒センサ２６からの信号により、壁面または天井面のいずれかに設置されたかを検出するので、確実に設置場所を検出し、特定することができる。
【０１０２】
（実施の形態４）
図１３〜図１４に示すように、設置場所検出手段２５ａを発光手段２７と、発光手段２７と対向して発光手段２７から発光される光を受光する受光手段２８と、発光手段２７から発光される光を遮断可能な位置に遮蔽板２９とを設けて構成する。発光手段２７としては、発光できればよく、例えば、発光ダイオードなどがある。受光手段２８としては、光を受光できればよく、例えば、フォトセンサなどがある。
【０１０３】
その他、実施の形態１と同様の構成については説明を省略する。
【０１０４】
上記構成において、発光手段２７は常に光を発光しており、壁面に設置されている場合、受光手段２８が発光手段２７からの光を受光するので、受光信号が設置場所特定手段９に送られ、設置場所特定手段９は、設置場所は壁面であると特定する。
【０１０５】
天井面に設置されている場合、壁面設置の場合と設置方向が９０度異なるため、遮蔽板２９が発光手段２７からの光を遮断する。そのため、受光手段２８は光を受光せず、受光信号が設置場所特定手段９に送られないので、設置場所特定手段９は、設置場所は天井面であると特定する。
【０１０６】
このように、発光手段２７から発光された光を受光手段２８が受光するか否かで、壁面または天井面のいずれかに設置されたかを検出するので、確実に設置場所を検出し、特定することができる。
【０１０７】
（実施の形態５）
図１５〜図１６に示すように、設置場所検出手段２５ｂを球状の磁石３０と、磁石３０を格納する容器３１と、磁石３０からの磁気を検出する磁気センサ３２を容器３１の底面に設けて構成する。磁気センサ３２としては、磁石３０からの磁気を検出できればよく、例えばホールＩＣなどがある。
【０１０８】
容器３１には漏斗状に窪ませた空間が容器底面と、天井面に設置した場合に下方となる側面の２箇所にあり、壁面設置の場合は、容器底面の漏斗状に窪ませた空間３３の内面に磁石３０が接触し、天井面設置の場合は、容器側面の漏斗状に窪ませた空間３４の内面に磁石３０が接触する。
【０１０９】
その他、実施の形態１と同様の構成については説明を省略する。
【０１１０】
上記構成において、壁面に設置されている場合、容器底面の漏斗状に窪ませた空間３３の内面に磁石３０が接触することにより、磁気センサ３２は磁石３０の磁気を検出するので、磁気の検出信号が設置場所特定手段９に送られ、設置場所特定手段９は、設置場所は壁面であると特定する。
【０１１１】
天井面に設置されている場合、容器側面の漏斗状に窪ませた空間３４の内面に磁石３０が接触することにより、磁気センサ３２は磁石３０の磁気を検出しない。そのため、磁気の検出信号が設置場所特定手段９に送られないので、設置場所特定手段９は、設置場所は天井面であると特定する。
【０１１２】
このように、磁気センサ３２が磁石３０からの磁気を検出するか否かで、壁面または天井面のいずれかに設置されたかを検出するので、確実に設置場所を検出し、特定することができる。
【産業上の利用可能性】
【０１１３】
本発明の送風装置は、壁面に設置された場合と、天井面に設置された場合とで、ルーバの動作角度を変えて送風することとなり、設置場所に応じて使用者が吹出し方向を変更する操作をすることなく、適切な方向へ吹出すことができるので、衣類等の乾燥やそれ以外の用途で送風して使用する業務用の送風装置についても有用である。
【符号の説明】
【０１１４】
１      送風装置本体
３      吸込口
４      吹出口
５      ファン
６      モータ
７      ルーバ
８      ルーバモータ
８ａ    ステッピングモータ
９      設置場所特定手段
１２    回転軸
１３    遠隔操作手段
１３ａ  リモコン
１５    受信手段
１６    報知手段
１９    モードスイッチ
２１    風向調整スイッチ
２１ａ  アップスイッチ
２１ｂ  ダウンスイッチ
２２    風向自動スイッチ
２４    記憶手段
２５    設置場所検出手段
２５ａ  設置場所検出手段
２５ｂ  設置場所検出手段
２６    転倒センサ
２７    発光手段
２８    受光手段
２９    遮蔽板
３０    磁石
３１    容器
３２    磁気センサ
【図１】
0005493755.tif 000002
【図２】
0005493755.tif 000003
【図３】
0005493755.tif 000004
【図４】
0005493755.tif 000005
【図５】
0005493755.tif 000006
【図６】
0005493755.tif 000007
【図７】
0005493755.tif 000008
【図８】
0005493755.tif 000009
【図９】
0005493755.tif 000010
【図１０】
0005493755.tif 000011
【図１１】
0005493755.tif 000012
【図１２】
0005493755.tif 000013
【図１３】
0005493755.tif 000014
【図１４】
0005493755.tif 000015
【図１５】
0005493755.tif 000016
【図１６】
0005493755.tif 000017